(57)【特許請求の範囲】
【請求項１】
記録済のカセットを取出し自在に収納する外装ケースにおいて、
外装ケース(15)は、カセットを収納せしめる収納室Ｓと、該収納室の上端を開口せしめることによりカセットを挿脱自在とする開口部Ｏと、収納室の底壁(14)の両側から前記開口部に向けて起立せしめられた支持壁(27)(28)とを備えたケース本体(16)と、前記開口部Ｏを閉鎖する位置（Ａ）と前記支持壁(27)(28)に搭載される位置（Ｂ）の何れか一方の位置に選択的に着脱自在とされる着脱取付部材(35)とから構成されており、
前記着脱取付部材(35)により前記開口部Ｏを閉鎖せしめ、底壁(14)を底部とした収納室Ｓに対して、カセットを収納せしめることにより、外装ケース(15)が販売用ケース(15A)を構成する一方において、
前記着脱取付部材(35)を支持壁(27)(28)に搭載することにより開口部Ｏを開口せしめ、該着脱取付部材(35)を底部とした収納室Ｓに対して、カセットを開口部Ｏから突出するように収納せしめることにより、外装ケース(15)がレンタル用ケース(15B)を構成する構造とされており、
前記着脱取付部材(35)は、前記開口部Ｏを閉鎖した状態で、収納室Ｓに臨む突出量ｐを可変とするクリアランス調整手段(42)を設けており、
前記クリアランス調整手段(42)は、着脱取付部材(35)に回動自在に設けられた可動板(44)により構成され、該可動板(44)を回動することにより収納室Ｓに臨む突出量ｐを増すように構成されて成ることを特徴とするカセットの外装ケース。
【請求項２】
記録済のカセットを取出し自在に収納する外装ケースにおいて、
外装ケース(15)は、カセットを収納せしめる収納室Ｓと、該収納室の上端を開口せしめることによりカセットを挿脱自在とする開口部Ｏと、収納室の底壁(14)の両側から前記開口部に向けて起立せしめられた支持壁(27)(28)とを備えたケース本体(16)と、前記開口部Ｏを閉鎖する位置（Ａ）と前記支持壁(27)(28)に搭載される位置（Ｂ）の何れか一方の位置に選択的に着脱自在とされる着脱取付部材(35)とから構成されており、
前記着脱取付部材(35)により前記開口部Ｏを閉鎖せしめ、底壁(14)を底部とした収納室Ｓに対して、カセットを収納せしめることにより、外装ケース(15)が販売用ケース(15A)を構成する一方において、
前記着脱取付部材(35)を支持壁(27)(28)に搭載することにより開口部Ｏを開口せしめ、該着脱取付部材(35)を底部とした収納室Ｓに対して、カセットを開口部Ｏから突出するように収納せしめることにより、外装ケース(15)がレンタル用ケース(15B)を構成する構造とされており、
前記着脱取付部材(35)は、前記開口部Ｏを閉鎖した状態で、収納室Ｓに臨む突出量ｐを可変とするクリアランス調整手段(42)を設けており、
前記クリアランス調整手段(42)は、着脱取付部材(35)に嵌合された可動板(44a)により構成され、該可動板(44a)を移動した位置で嵌合することにより収納室Ｓに臨む突出量ｐを増すように構成されて成ることを特徴とするカセットの外装ケース。
【請求項３】
記録済のカセットを取出し自在に収納する外装ケースにおいて、
外装ケース(15)は、カセットを収納せしめる収納室Ｓと、該収納室の上端を開口せしめることによりカセットを挿脱自在とする開口部Ｏと、収納室の底壁(14)の両側から前記開口部に向けて起立せしめられた支持壁(27)(28)とを備えたケース本体(16)と、前記開口部Ｏを閉鎖する位置（Ａ）と前記支持壁(27)(28)に搭載される位置（Ｂ）の何れか一方の位置に選択的に着脱自在とされる着脱取付部材(35)とから構成されており、
前記着脱取付部材(35)により前記開口部Ｏを閉鎖せしめ、底壁(14)を底部とした収納室Ｓに対して、カセットを収納せしめることにより、外装ケース(15)が販売用ケース(15A)を構成する一方において、
前記着脱取付部材(35)を支持壁(27)(28)に搭載することにより開口部Ｏを開口せしめ、該着脱取付部材(35)を底部とした収納室Ｓに対して、カセットを開口部Ｏから突出するように収納せしめることにより、外装ケース(15)がレンタル用ケース(15B)を構成する構造とされており、
前記着脱取付部材(35)は、前記開口部Ｏを閉鎖した状態で、収納室Ｓに臨む突出量ｐを可変とするクリアランス調整手段(42)を設けており、
前記クリアランス調整手段(42)は、着脱取付部材(35)に嵌合された可動板(44b)により構成され、該可動板(44b)を姿勢変更した状態で嵌合することにより収納室Ｓに臨む突出量ｐを増すように構成されて成ることを特徴とするカセットの外装ケース。
【発明の詳細な説明】
【０００１】
【発明の属する技術分野】
本発明は、録画や録音等の記録済とされたビデオカセット等のカセットを収納する外装ケース、就中、カセットの販売用ケースとレンタル用ケースを兼用できる構成とした外装ケースに関するものであり、特に、販売用ケースとして使用する際に、カセットが裸にされた状態と、スリーブケースに収納された状態との何れの場合でも、内部でガタツキを生じることなく好適に収納できるように構成した外装ケースを提供するものである。
【０００２】
【従来の技術】
従来、記録済とされたビデオカセット等のカセットは、メーカーから販売店やレンタル店に向けて販売する際には、専用の販売用ケースに収納された状態で出荷されている。このような専用の販売用ケースは、開閉自在な扉壁によりカセットを取出自在に収納した構成である。そこで、レンタル店においては、該販売用ケースからカセットを取出した後、専用のレンタル用ケースに収納し、これをレンタル店において陳列販売している。専用のレンタル用ケースは、上端の開口部からカセットを挿脱自在に挿入せしめる構成とされており、通常、カセットは、該レンタル用ケースに挿入した状態で開口部から上方に突出せしめられる。
【０００３】
それぞれ専用とされた従来の販売用ケースとレンタル用ケースとの関係は、図８に示す通りである。先ず、記録済のカセット１は、メーカーから販売される際には、メーカーの方針により、図８（Ａ）に示すような裸とされた状態と、図８（Ｂ）に示すような合成樹脂製薄板状の箱体から成るスリーブケース２に収納された状態との２つの態様のうち何れかの態様が選択的に採用される。そして、何れの態様の場合（裸のカセット又はスリーブケースに収納されたカセット）も、図８（Ｃ）及び図８（Ｄ）に示すような専用の販売用ケース３ａ、３ｂに収納した上で販売店やレンタル店に向けて出荷される。
【０００４】
当然のことながら、裸の状態とされたカセット１の高さ寸法Ｈ１と、カセット１を収納したスリーブケース２の高さ寸法Ｈ２は、Ｈ１＜Ｈ２となるので、専用の販売用ケースは、収納室４ａの高さ寸法ｈ１をカセット１の高さ寸法Ｈ１に適合せしめた販売用ケース３ａと、収納室４ｂの高さ寸法ｈ２をスリーブケース２の高さ寸法Ｈ２に適合せしめた販売用ケース３ｂとの２種類が存在している。
【０００５】
尚、販売用ケース３ａ、３ｂは、側面を開口せしめたほぼ直方体形状のケース本体５と、該側面開口を開閉する扉式の蓋板６を備えた構成とされており、外壁面に透明シート７を添設している。そして、該外壁面と透明シート７の間には、カセットに記録されたソフトの内容を表示する写真、文字又は図柄等の情報を表示したジャケットシートが保持されている。
【０００６】
前述のように、裸のままで提供されるカセット１は、専用の販売用ケース３ａに収納した状態で販売され、スリーブケース２に収納されて提供されるカセット１は、専用の販売用ケース３ｂに収納した状態で販売される。ところで、これらの商品の納品を受けたレンタル店においては、販売用ケース３ａ、３ｂからカセット１を取出した後、図８（Ｅ）に示すように、該カセット１を専用のレンタル用ケース８に挿入した状態で店頭に陳列し展示する。カセット１は、保護ケース９に収納した状態でレンタル用ケース８に挿入されるが、上述のように販売形態時にスリーブケース２を有する場合は、該スリーブケース２を保護ケース９としてそのまま使用することが可能である。
【０００７】
専用のレンタル用ケース８は、上部を開口１０せしめたほぼ直方体形状のケースを構成し、保護ケース９に収納したカセット１を上部の開口部１０より挿入自在としており、通常は挿入状態で、カセット１（保護ケース９）が開口部１０から突出するように構成されている。即ち、レンタル用ケース８における収納室の底部を形成する底壁１１にカセット１（保護ケース９）を支承せしめた状態で、カセット１（保護ケース９）が開口部１０から突出する。従って、レンタル店における顧客は、陳列棚等に陳列されたレンタル用ケース８を視認する際に、カセット１を収納した状態（レンタル可能な状態）であるか、或いは、カセット１を収納しない空の状態（レンタル不能な貸出し中の状態）であるかを一目で判別することができる。
【０００８】
【発明が解決しようとする課題】
上述のように、従来の場合、カセット１の商品は、メーカーから出荷される際には、専用の販売用ケース３ａ、３ｂに収納される一方、レンタル店においてレンタルに供される際には、専用のレンタル用ケース８に収納される。
【０００９】
従って、レンタル店においては、専用のレンタル用ケース８を仕入れると共に多数個を準備しておかなければならず、これがコスト高の原因となっている。しかも、専用の販売用ケース３ａ、３ｂは、カセット１を取出した後に廃棄されているのが現状であり、資源の無駄と、廃棄物処理の問題を生じている。
【００１０】
【課題を解決するための手段】
本発明は、上記に鑑み、カセットの販売用ケースとレンタル用ケースを兼用できる構成とした外装ケースに関するものであり、特に、販売用ケースとして使用する際に、カセットが裸にされた状態と、スリーブケースに収納された状態との何れの場合でも、内部でガタツキを生じることなく好適に収納できるように構成した外装ケースを提供することを目的とする。
【００１１】
そこで、本発明が第一の手段として構成したところは、記録済のカセットを取出し自在に収納する外装ケースにおいて、外装ケースは、カセットを収納せしめる収納室と、該収納室の上端を開口せしめることによりカセットを挿脱自在とする開口部と、収納室の底壁の両側から前記開口部に向けて起立せしめられた支持壁とを備えたケース本体と、前記開口部を閉鎖する位置と前記支持壁に搭載される位置の何れか一方の位置に選択的に着脱自在とされる着脱取付部材とから構成されており、前記着脱取付部材により前記開口部を閉鎖せしめ、底壁を底部とした収納室に対して、カセットを収納せしめることにより、外装ケースが販売用ケースを構成する一方において、前記着脱取付部材を支持壁に搭載することにより開口部を開口せしめ、該着脱取付部材を底部とした収納室に対して、カセットを開口部から突出するように収納せしめることにより、外装ケースがレンタル用ケースを構成する構造とされており、前記着脱取付部材は、前記開口部を閉鎖した状態で、収納室に臨む突出量を可変とするクリアランス調整手段を設けており、前記クリアランス調整手段は、着脱取付部材に回動自在に設けられた可動板により構成され、該可動板を回動することにより収納室に臨む突出量を増すように構成されて成る点にある。
【００１２】
また、本発明が第二の手段として構成したところは、記録済のカセットを取出し自在に収納する外装ケースにおいて、外装ケースは、カセットを収納せしめる収納室と、該収納室の上端を開口せしめることによりカセットを挿脱自在とする開口部と、収納室の底壁の両側から前記開口部に向けて起立せしめられた支持壁とを備えたケース本体と、前記開口部を閉鎖する位置と前記支持壁に搭載される位置の何れか一方の位置に選択的に着脱自在とされる着脱取付部材とから構成されており、前記着脱取付部材により前記開口部を閉鎖せしめ、底壁を底部とした収納室に対して、カセットを収納せしめることにより、外装ケースが販売用ケースを構成する一方において、前記着脱取付部材を支持壁に搭載することにより開口部を開口せしめ、該着脱取付部材を底部とした収納室に対して、カセットを開口部から突出するように収納せしめることにより、外装ケースがレンタル用ケースを構成する構造とされており、前記着脱取付部材は、前記開口部を閉鎖した状態で、収納室に臨む突出量を可変とするクリアランス調整手段を設けており、前記クリアランス調整手段は、着脱取付部材に嵌合された可動板により構成され、該可動板を移動した位置で嵌合することにより収納室に臨む突出量を増すように構成されて成る点にある。
更に、本発明が第三の手段として構成したところは、記録済のカセットを取出し自在に収納する外装ケースにおいて、外装ケースは、カセットを収納せしめる収納室と、該収納室の上端を開口せしめることによりカセットを挿脱自在とする開口部と、収納室の底壁の両側から前記開口部に向けて起立せしめられた支持壁とを備えたケース本体と、前記開口部を閉鎖する位置と前記支持壁に搭載される位置の何れか一方の位置に選択的に着脱自在とされる着脱取付部材とから構成されており、前記着脱取付部材により前記開口部を閉鎖せしめ、底壁を底部とした収納室に対して、カセットを収納せしめることにより、外装ケースが販売用ケースを構成する一方において、前記着脱取付部材を支持壁に搭載することにより開口部を開口せしめ、該着脱取付部材を底部とした収納室に対して、カセットを開口部から突出するように収納せしめることにより、外装ケースがレンタル用ケースを構成する構造とされており、前記着脱取付部材は、前記開口部を閉鎖した状態で、収納室に臨む突出量を可変とするクリアランス調整手段を設けており、前記クリアランス調整手段は、着脱取付部材に嵌合された可動板により構成され、該可動板を姿勢変更した状態で嵌合することにより収納室に臨む突出量を増すように構成されて成る点にある。
【００１３】
【発明の実施の形態】
以下図面に基づいて本発明の好ましい実施形態を詳述する。
【００１４】
（ケース本体の構成）
図１ないし図４に示す実施形態において、カセットの販売用ケースとレンタル用ケースを兼用できる外装ケース１５は、側面を開口せしめたほぼ直方体形状のケース本体１６に対して、該側面開口を開閉自在とする扉式の蓋板１７を備えた構成とされ、蓋板１７をケース本体１６に連設せしめる背壁１８の両側に薄肉ヒンジ１９、１９を形成している。
【００１５】
ケース本体１６は、蓋板１７により側面開口を施蓋せしめた状態でカセットを収納せしめる収納室Ｓを区成するように、表壁２０に収納室Ｓの左右を規制する一対の側壁２１、２２と、収納室Ｓの底部を規制する底壁１４とを一体成形しており、底壁１４に対向する側において収納室Ｓを開口せしめる開口部Ｏを形成している。
【００１６】
一対の側壁２１、２２は、開口部Ｏの両側縁に沿わしめられる口壁２３、２４を延設すると共に、それぞれの口壁２３、２４に折返壁２３ａ、２４ａを連設せしめている。背壁１８に近傍する折返壁２３ａは折返部分で終わっているが、背壁１８の反対側に位置する折返壁２４ｂは、ケース本体１６の全長（全高）に延びる腹壁２５を延設しており、腹壁２５の長手方向中途部には切欠状の窓２６が形成されている。
【００１７】
底壁１４の両側には、開口部Ｏに向けて起立せしめられた支持壁２７、２８が設けられている。背壁１８に近傍する支持壁２７は、側壁２１に連設されると共に、底壁１４を越えて延び、ケース本体１６の底縁１６ａに沿う座２７ａを備えている。背壁１８の反対側に位置する支持壁２８は、側壁２２に連設されると共に、折返された後、底壁１４を越えて延び、ケース本体１６の底縁１６ａに沿う座２８ａを備えており、該座２８ａは腹壁２５に連設される。座２７ａ、２８ａは、開口部Ｏを上向きとした起立姿勢で、外装ケース１５を陳列棚等に載置せしめる際の座面として機能する。
【００１８】
蓋板１７は、ヒンジ１９を介して背壁１８を起立せしめると共に、折曲した蓋板１７により収納室Ｓを覆わしめたとき、表壁２０に平行に対面せしめられる裏壁２９を構成する。蓋板１７の自由端縁に沿って差込壁３０が形成されており、収納室Ｓを閉蓋した状態で、該差込壁３０が腹壁２５の内側に沿って挿入され、腹壁２５に設けられた爪３１により着脱自在に保持される。尚、この際、差込壁３０に設けた舌片３２が窓２６を閉鎖する。
【００１９】
蓋板１７は、ヒンジ１９に近傍してほぼ平行に延びる補助壁３３と、差込壁３０に近傍してほぼ平行に延びる補助壁３４とを備えている。蓋板１７により収納室Ｓを閉蓋した状態で、補助壁３３、３４は、それぞれ側壁２１、２２に対向せしめられ、これにより収納室Ｓの両側面を区成する。補助壁３３、３４は、開口部Ｏに向けて収納室Ｓを広げるように傾斜せしめられたガイド部３３ａ、３４ａを形成している。
【００２０】
尚、図示省略しているが、表壁２０、背壁１８、裏壁２９の外側面には、図８に基づいて説明した従来技術の販売用ケース３ａ、３ｂと同様の透明シートが添設されており、ジャケットを保持することが可能なように構成されている。
【００２１】
（着脱取付部材の構成）
前記のような蓋板１７を備えたケース本体１６に対して、着脱取付部材３５が別体のものとして具備せしめられる。着脱取付部材３５は、図１に矢印Ａで示す開口部Ｏを閉鎖する位置と、矢印Ｂで示す支持壁２７、２８に搭載される位置との、二つの位置におけるの何れか一方の位置に選択的に着脱自在となるように構成されている。
【００２２】
従って、図２及び図３に示すように、着脱取付部材３５により前記開口部Ｏを閉鎖せしめたときは、底壁１４を底部とした収納室Ｓが形成される。この場合、外装ケース１５は、販売用ケースを構成する。その一方において、図４に示すように、着脱取付部材３５を支持壁２７、２８に搭載し、開口部Ｏを開口せしめたときは、該着脱取付部材３５を底部とした収納室Ｓが形成される。この場合、外装ケース１５は、レンタル用ケースを構成する。
【００２３】
図５に示すように、着脱取付部材３５は、開口部Ｏを閉鎖する形状及び大きさの板体３６の内側面（収納室Ｓに臨む面）に長手方向に間隔をあけて幅方向に延びるリブ３７を設けており、長手方向両端に位置して耳片３８、３８を設けており、該耳片３８の耳端にほぼ直交する保持片３９を連設せしめている。それぞれの耳片３８、３８における保持片３９は、ケース本体１６の口壁２３、２４を着脱自在に嵌入せしめる溝４０を形成すると共に、側壁２１、２２を着脱自在に嵌入せしめるスリット４１を形成する。
【００２４】
即ち、着脱取付部材３５を図１に矢印Ａで示す位置に取付けることにより、外装ケース１５を図２及び図３に示すような販売用ケース１５Ａとして供する際には、着脱取付部材３５は、スリット４１、４１に側壁２１、２２を嵌入せしめると共に、溝４０、４０に口壁２３、２４を嵌入せしめることにより、開口部Ｏを閉鎖した状態でケース本体１６に固定される。この状態において、底壁１４と着脱取付部材３５の間に収納室Ｓが区成されるので、収納室Ｓにカセット１を収納した後、ケース本体１６を蓋板１７により施蓋せしめることにより、図２に示すような販売用ケース１５Ａａと、図３に示すような販売用ケース１５Ａｂとの何れの形態においても、「販売用ケース」として利用される。
【００２５】
一方、着脱取付部材３５を図１に矢印Ｂで示す位置に取付けることにより、外装ケース１５を図４に示すようなレンタル用ケース１５ｂとして供する際には、着脱取付部材３５は、支持壁２７、２８に搭載状態で当接せしめられ、該支持壁２７、２８の近傍に位置する側壁２１、２２をスリット４１、４１に嵌入せしめることにより、ケース本体１６に固定される。これにより、ケース本体１６を蓋板１７により施蓋せしめた状態で、外装ケース１５は、開口部Ｏを開口せしめているので、カセット１を収納室Ｓに対して自由に挿脱自在に挿入可能とする。しかも、収納室Ｓは、底壁１４よりも浅い位置に設けられた着脱取付部材３５により底部を形成するので、挿入されたカセット１を収納状態で開口部Ｏから突出せしめることが可能となり、図４に示すようなレンタル用ケース１５Ｂとして利用される。
【００２６】
（クリアランス調整手段）
従来技術に関して図８（Ａ）及び図８（Ｂ）に示したように、販売用ケースに収納されるカセット１は、各メーカーの方針により、裸のままのカセット１により高さＨ１とされる場合（図８（Ａ）参照）と、スリーブケース２に収納されることにより高さＨ２とされる場合（図８（Ｂ））とがあり、このため、着脱取付部材３５は、外装ケース１５の開口部Ｏを閉鎖した取付状態において、収納室Ｓに臨む突出量ｐを可変とするクリアランス調整手段４２を設けている。
【００２７】
（クリアランス調整手段の第１実施例）
図５は、クリアランス調整手段４２の第１実施例を示している。板体３６は、長手方向の一側面に格納凹部４３を形成し、該格納凹部４３に可動板４４を進退自在に格納している。可動板４４は、開口部Ｏに臨んで設けられた薄肉のヒンジ４５を介して板体３６に一体成形されている。従って、可動板４４は、ヒンジ４５により、格納凹部４３に格納された位置（図５（Ａ））と、リブ３７に向けて反転された位置（図５（Ｂ））との間において回動自在である。そこで、格納凹部４３の所定位置には孔４６が設けられ、該孔４６に嵌入自在な突起４７が可動板４４に突設されている。可動板４４を格納凹部４３に格納した状態で、突起４７は孔４６に嵌入されているが、ヒンジ４５を介して可動板４４をリブ３７に向けて反転すると、突起４７が収納室Ｓに臨ましめられる。その結果、可動板４４を格納凹部４３に格納せしめた状態（図５（Ａ））においては、クリアランス調整手段４２の一部（図例ではヒンジ４５の部分）が収納室Ｓに臨んで突出量ｐ１だけ突出するのに対して、可動板４４をリブ３７に向けて反転せしめた状態（図５（Ｂ））においては、クリアランス調整手段４２の一部（図例では突起４７の部分）が収納室Ｓに臨んで突出量ｐ２のように突出し、ｐ１＜ｐ２となるように構成されている。
【００２８】
そこで、販売用ケース１５Ａａとして供される外装ケース１５に収納すべきカセット１が図２に示すようにスリーブケース２に収納されたものである場合、開口部Ｏの閉鎖位置に取付けられた着脱取付部材３５は、クリアランス調整手段４２の可動板４４を格納凹部４３に格納せしめることにより、スリーブケース２の高さＨ２に合致する収納室Ｓを区成せしめ、前述のような突出量ｐ１の下でクリアランス調整手段４２の一部（図例ではヒンジ４５）をスリーブケース２の対向壁面に当接せしめることにより、収納室Ｓにスリーブケース２をガタツキのない状態で収納せしめる。
【００２９】
一方、販売用ケース１５Ａｂとして供される外装ケース１５に収納すべきカセット１が図３に示すように裸のままの状態である場合、開口部Ｏの閉鎖位置に取付けられた着脱取付部材３５は、クリアランス調整手段４２の可動板４４を反転させることにより、カセット１の高さＨ１に合致する収納室Ｓを区成せしめ、前述のような突出量ｐ２の下でクリアランス調整手段４２の一部（図例では突起４７）をカセット１の対向壁面に当接せしめることにより、収納室Ｓにカセット１をガタツキのない状態で収納せしめる。
【００３０】
尚、着脱取付部材３５を支持壁２７、２８に搭載することにより、外装ケース１５を図４に示すようなレンタル用ケース１５Ｂとして使用する場合、クリアランス調整手段４２は、その機能を休止しているが、図４に示すように、底壁１４との間に十分な空間ｐ３を有しているので、着脱取付部材３５の取付作業を容易とする。即ち、販売用ケースが図３に示すように着脱取付部材３５のクリアランス調整手段４２（可動板４４）を開いた状態とされた販売用ケース１５Ａｂとされている場合、レンタル店において、これをレンタル用ケース１５Ｂとして使用するためには、着脱取付部材３５の取付位置を移動することになるが、その際、可動板４４を格納凹部４３に格納する折畳み作業は必要でなく、可動板４４を開いた状態のままで前記空間ｐ３を介し着脱取付部材３５を支持壁２７、２８に搭載できるという便利がある。
【００３１】
（クリアランス調整手段の第２実施例）
図６は、クリアランス調整手段４２の第２実施例を示している。可動板４４ａは格納凹部４３ａに格納自在とされ、突起４７ａを孔４６ａに嵌入せしめた構成とされており、この点は、上記第１実施例と同様であるが、可動板４４ａが板体３６に対して分離自在に構成されている。
【００３２】
板体３６は、外装ケース１５の収納室Ｓに臨む部位に座面５０を設け、該座面５０に嵌合孔５１、５１を設けている。
【００３３】
この実施例によれば、可動板４４ａにより構成されたクリアランス調整手段４２は、可動板４４ａを格納凹部４３ａに格納した状態（図６（Ａ））においては、可動板４４ａが板体３６から収納室Ｓに臨んで突出しない、即ち突出量ｐ１をほとんどゼロとするのに対して、可動板４４ａを座面５０に移動すると共に突起４７ａを嵌合孔５１に嵌合した状態（図６（Ｂ））においては、可動板４４ａの肉厚に相当して収納室Ｓに臨む突出量ｐ２を形成し、ｐ１＜ｐ２となるように構成される。
【００３４】
（クリアランス調整手段の第３実施例）
図７は、クリアランス調整手段４２の第３実施例を示している。板体３６とは別体の可動板４４ｂが設けられており、該可動板４４ｂは、平板部５２と、該平板部５２に交差するリブ５３を設けた断面形状を有する。即ち、断面形状がＴ形や、図例のようなＬ形とされている。
【００３５】
板体３６のリブ３７には、切欠部５４が形成されており、該切欠５４には、可動板４４ｂのリブ５３を嵌合することが可能であり（図７（Ａ））、しかも、可動板４４ｂの平板部５２の縁部を嵌合することも可能である（図７（Ｂ））。
【００３６】
この実施例によれば、可動板４４ｂにより構成されたクリアランス調整手段４２は、可動板４４ｂのリブ５３を切欠５４に嵌合した状態（図７（Ａ））においては、可動板４４ｂがその肉厚に相当する突出量ｐ１だけを板体３６から収納室Ｓに向けて突出するのに対して、可動板４４ｂを切欠５４から取出した後、姿勢を変更せしめ、平板部５２の縁部を切欠５４に嵌合した状態（図７（Ｂ））においては、可動板４４ｂがその板幅に相当する突出量ｐ２を板体３６から収納室Ｓに向けて突出し、ｐ１＜ｐ２となるように構成される。
【００３７】
【発明の効果】
本発明によれば、着脱取付部材３５を設けると共に、該着脱取付部材３５を開口部Ｏを閉鎖する位置と支持壁２７、２８に搭載される位置との二つの位置の間において相互に選択的に着脱せしめる構成であるから、外装ケース１５により、カセット１の販売用ケース１５Ａとレンタル用ケース１５Ｂを兼用せしめることが可能になる。その結果、レンタル店におけるコスト低減に寄与することができると共に、従来のような専用の販売用ケースの廃棄問題を解消することにより、省資源と省廃棄物に貢献するという効果がある。
【００３８】
更に、本発明によれば、販売用ケース１５Ａとして使用するため着脱取付部材３５により開口部Ｏを閉鎖せしめた状態で、該着脱取付部材３５がクリアランス調整手段４２を設けており、収納室Ｓに収納されるカセット１が裸とされているときに突出量ｐを増すことによりカセット１の壁面に当接し、収納室Ｓに収納されるカセット１がスリーブケース２に収納されているときに突出量ｐを減じることによりスリーブケース２の壁面に当接するように構成したものであるから、何れの場合も、カセット１を収納室Ｓの内部でガタツキを生じないように好適に保持することができ、寸法の異なる２種類の販売用ケース１５Ａａ、１５Ａｂを兼用できるという優れた効果がある。
【図面の簡単な説明】
【図１】本発明の１実施形態を展開状態にて示す斜視図である。
【図２】本発明の１実施形態により構成した販売用ケースを示しており、スリーブケースに収納されたカセットのための販売用ケースを示す斜視図である。
【図３】本発明の１実施形態により構成した販売用ケースを示しており、裸のままのカセットのための販売用ケースを示す斜視図である。
【図４】本発明の１実施形態により構成したレンタル用ケースを示す斜視図である。
【図５】着脱取付部材と共にクリアランス調整手段の第１実施例を示しており、（Ａ）は突出量を減じた状態を示す斜視図、（Ｂ）は突出量を増した状態を示す斜視図である。
【図６】着脱取付部材と共にクリアランス調整手段の第２実施例を示しており、（Ａ）は突出量を減じた状態を示す斜視図、（Ｂ）は突出量を増した状態を示す斜視図である。
【図７】着脱取付部材と共にクリアランス調整手段の第３実施例を示しており、（Ａ）は突出量を減じた状態を示す斜視図、（Ｂ）は突出量を増した状態を示す斜視図である。
【図８】従来技術を示しており、（Ａ）は裸のままのカセットを示す斜視図、（Ｂ）はスリーブケースに収納されたカセットを示す斜視図、（Ｃ）は裸のカセットを収納するための専用販売用ケースを示す斜視図、（Ｄ）はスリーブケースと共にカセットを収納するための専用販売用ケースを示す斜視図、（Ｅ）は専用レンタル用ケースを示す斜視図である。
【符号の説明】
１    カセット
２    スリーブケース
９    保護ケース
１４    底壁
１５    外装ケース
１６    ケース本体
１７    蓋板
１８    背壁
２０    表壁
２１、２２  側壁
２３、２４  口壁
２５    腹壁
２７、２８  支持壁
２９    裏壁
３５    着脱取付部材
３６    板体
３８    耳片
３９    保持片
４０    溝
４１    スリット
４２    クリアランス調整手段
４４、４４ａ、４４ｂ  可動板
【図１】
0003642522.tif 000002
【図２】
0003642522.tif 000003
【図３】
0003642522.tif 000004
【図４】
0003642522.tif 000005
【図５】
0003642522.tif 000006
【図６】
0003642522.tif 000007
【図７】
0003642522.tif 000008
【図８】
0003642522.tif 000009